(57)【特許請求の範囲】
【請求項１】
吸込開口を底面に有する吸込室が形成された吸込口本体と、前記吸込室内に回転自在且つ着脱可能に取付けられるとともに、回転軸とこの回転軸の周面に所定方向に傾斜あるいは湾曲して突出する清掃部材とを有する回転清掃体と、前記吸込口本体に設けられ前記吸込室に連通する接続管とを備えた電気掃除機の吸込口体において、
前記回転清掃体の取付方向を表示した表示部が貼り付けられる貼付面を前記吸込室内面に設け、
前記貼付面の上流側に、この貼付面より吸込室内面側に突出する段部を形成したことを特徴とする電気掃除機の吸込口体。
【請求項２】
請求項１に記載の吸込口体を備えたことを特徴とする電気掃除機。
【発明の詳細な説明】
【０００１】
【発明の属する技術分野】
本発明は、吸込室内に回転清掃体が設けられ、この回転清掃体を回転させることによって塵埃を掻き上げることのできる電気掃除機の吸込口体に関する。
【０００２】
【従来の技術】
一般に、電気掃除機の吸込口体は、吸込開口を底面に有する吸込室が形成された吸込口本体と、吸込室内に回転自在に取付けられ外周に清掃用のブラシを有する回転清掃体と、吸込口本体の左右方向に対して中央部に設けられ且つ吸込室に連通した接続管とを備えている。そして、回転清掃体を回転させることにより、塵埃を掻き上げながら吸込室および接続管を介して電気掃除機本体へと流入させることができる。
【０００３】
このような吸込口体において、回転清掃体は高速で回転しており、回転清掃体外周のブラシに糸状の塵埃が絡み付きやすい。回転清掃体は吸込室に着脱自在に取付けられており、ブラシに糸状の塵埃等が絡み付いた場合は、通常、回転清掃体を吸込室から取外し、絡み付いた糸状の塵埃を手で取除いている。塵埃を取除いた後、回転清掃体は再び吸込室に取付けられる。
【０００４】
ところで、回転清掃体が有するブレードやブラシ毛等の清掃部材は、回転軸に対して所定の方向に傾斜あるいは湾曲して設けられているのが一般的である。傾斜あるいは湾曲させた方が塵埃の掻き上げ効率が向上するとともに走行負荷が大きくならないからであり、また、清掃部材で吸込風を受けて回転するものでは、より風を受けやすくするためである。したがって、このような回転清掃体を有する電気掃除機の吸込口体では、回転清掃体を吸込口本体に取付けるに当たって、回転清掃体の左右方向の向きが逆に取付けられてしまうと回転清掃体による清掃効率が著しく低下してしまうものであった。このため、従来のものでは、回転清掃体の両端に設けられる軸受の形状を異ならせる等によって左右非対称な形状として回転清掃体に方向性を持たせて誤組付けを防止するようにしている。
【０００５】
【発明が解決しようとする課題】
しかしながら、上記構成にしても使用者は１回の操作で適切に取付けるとは限らないことから、取付ける際の操作性が良好なものではないという問題がある。また、場合によっては左右方向が逆であっても取付けられてしまい適正な状態に回転清掃体が取付けられないこともあった。
【０００６】
本発明の課題は、確実に回転清掃体を正確な向きに取付けることのできる電気掃除機の吸込口体および電気掃除機を提供することにある。
【０００７】
【課題を解決するための手段】
上記課題を解決するため、請求項１に記載の発明は、  吸込開口を底面に有する吸込室が形成された吸込口本体と、前記吸込室内に回転自在且つ着脱可能に取付けられるとともに、回転軸とこの回転軸の周面に所定方向に傾斜あるいは湾曲して突出する清掃部材とを有する回転清掃体と、前記吸込口本体に設けられ前記吸込室に連通する接続管とを備えた電気掃除機の吸込口体において、
前記回転清掃体の取付方向を表示した表示部が貼り付けられる貼付面を前記吸込室内面に設け、
前記貼付面の上流側に、この貼付面より吸込室内面側に突出する段部を形成したことを特徴とする。
【０００８】
上記構成によれば、回転清掃体の取付方向を表示した表示部が吸込室内面に設けられているので、回転清掃体を吸込口体に取付ける際に、表示部の内容を確認しながら取付作業を行うようになり、その結果、回転清掃体を逆向きに取付けてしまうのを防ぐことができる。
【００１０】
また、銘板取付部の上流側に段部が形成されているために、吸込風が銘板の貼付面の端面に直接当たるのが回避され、吸込風によって銘板が剥がされてしまうのを防ぐことができる。
【００１１】
さらに、請求項２に記載の発明は、請求項１に記載の吸込口体を備えたことを特徴とする電気掃除機である。
【００１２】
【発明の実施の形態】
以下、この発明に係る吸込口体を備えた電気掃除機の実施の形態を図面に基づいて説明する。
【００１３】
図１において、１０は電気掃除機本体で、この本体１０内には集塵室１２と、この集塵室１２を負圧にする電動送風機１１とが設けられている。集塵室１２には集塵フィルタ１３が設けられている。
【００１４】
１５は一端が電気掃除機本体１０に着脱可能に接続されているホースで、このホース１５の他端には手元操作管１６が設けられ、手元操作管１６には把手部１７が設けられている。この把手部１７には操作スイッチ（図示省略）を設けた手元操作部１７Ａが設けられている。
【００１５】
手元操作管１６には延長管１８が着脱可能に接続され、延長管１８の先端部には吸込口体２０が着脱可能に接続されている。
【００１６】
吸込口体２０は、図２乃至図６に示すように、吸込口本体２１と、延長管１８が着脱自在に接続され且つ吸込口本体２１の後部に上下方向に回動可能に設けられた接続管２２とを備えている。吸込口本体２１内には底面に左右に延びた吸込開口２３を有する吸込室２５が形成されている。この吸込室２５は左右方向に延びているとともに、吸込室２５内には回転清掃体２６が回転自在に設けられている。回転清掃体２６は吸込室２５に着脱自在に取付けられており、吸込口体２０の底面に設けられた固定部材７０によって吸込室２５内に固定されている。
【００１７】
回転清掃体２６には、その軸方向に沿ってブレード２６Ａとブラシ２６Ｂが取付けられている。ブレード２６Ａとブラシ２６Ｂは、回転清掃体２６の回転中心軸周りに略９０度の間隔で交互に配置され、また回転清掃体２６の回転中心軸に沿って螺旋状（図９参照）に設けられている。ブレード２６Ａは、吸込風を効率良く受け止めるために、湾曲（回転清掃体２６の回転中心軸に対して垂直な面内で湾曲）した形状に形成されている。
【００１８】
吸込口本体２１は、本体ケース３０内後部に設けられた風路管（図示省略）と、この風路管の外周に回動自在に取付けられた回転管５０とを有している。回転管５０は図６の矢印Ａ方向に揺動自在である。また、吸込室２５は前記風路管および回転管５０を介して接続管２２に連通している。
【００１９】
本体ケース３０の前部には、左右一対の吸気孔３１,３１が形成され、この吸気孔３１,３１は左右方向に延びたスリット状に形成され、この吸気孔３１,３１を介して吸込室２５が外気と連通している。この吸気孔３１,３１から吸気される吸込風Ｂによって、回転清掃体２６は図７の矢印Ｃに示すように時計回りに回転する。
【００２０】
本体ケース３０の底部には、吸込開口２３の前方に左右方向に延びたシール部材Ｓが設けられている。また、本体ケース３０の底部には、吸込開口２３の後方に凹部３２が形成され、この凹部３２内には起毛３６Ａを有する清掃手段３６が取付けられている。
【００２１】
また、本体ケース３０の底部の前後には、前輪Ｒ1と後輪Ｒ2とが設けられており、その底部が被清掃面Ｍから所定距離だけ離間されている。また、本体ケース３０は左右端部にいくほど前後方向の幅が狭くなっている。
【００２２】
図７は本体ケース３０のうち上側ケース３０Ａのみを内側から見たときの図であり、図８は回転清掃体２６を取外したときの吸込口体２０の底面図である。図７に示すように、上側ケース３０Ａには、吸込室２５を画成する部分３０Ｂに銘板１００が取付けられている。前記部分３０Ｂは吸込室２５の上部内面を構成しており、銘板１００は吸込室２５の内面に設けられていることになる。また銘板１００は、回転清掃体取付時に容易に視認できる箇所に取付けられている。
【００２３】
銘板１００には回転清掃体２６の取付方向が明記されている。本実施の形態では、図４に示すように、回転清掃体２６の左端部の部品２６Ｃが黒に、右端部の部品２６Ｄがグレーにそれぞれ着色されている。そして、図８のように吸込口体２０を配置して回転清掃体２６を吸込室２５内に取付ける際に、回転清掃体２６の左側に黒の部品が、右側にグレーの部品がそれぞれくるように、回転清掃体２６の取付方向についての注意書きが、銘板１００上に明記されている。
【００２４】
なお、回転清掃体２６の左右両端部の部品２６Ｃ，２６Ｄは黒やグレーに限らず、それぞれが異なる色であれば他の色でも良い。この場合、銘板１００には部品２６Ｃ，２６Ｄのそれぞれの色に合わせた内容が明記されている。また、銘板１００には、「黒」や「グレー」といった文言ではなく、黒やグレーに着色した絵や記号等を表記しても良い。
【００２５】
銘板１００を上側ケース３０Ａに取付ける方法として、本実施の形態では、図６に示すように、上側ケース３０Ａの内面に凹部１０１が形成され、この凹部１０１内に銘板１００が嵌合されている。この場合、凹部１０１の周縁部のうち左側の周縁部は銘板取付部の上流側にあり、段部を構成している。このように構成すれば、吸込風Ｂが銘板１００の貼付面の端面に直接当たるのを回避できるので、吸込風Ｂが銘板１００を剥がす方向に作用することを防止することができる。
【００２６】
次に、上記構成の吸込口体２０において、吸込室２５内から回転清掃体２６を取外して、さらに回転清掃体２６を吸込室２５内に取付ける際の操作手順について説明する。
【００２７】
まず、使用者は吸込口体２０を図４のように底面が上を向いた状態にして、固定部材７０を取外す。固定部材７０を取外すと、回転清掃体２６は、グレーに着色された部品２６Ｄ側を持ち上げることにより、その全体を吸込室２５内から容易に取外すことができる。
【００２８】
そして、取外した回転清掃体２６から塵埃等を取除き、回転清掃体２６を再度吸込室２５に取付ける。この場合、吸込室２５内面には、図８に示すように回転清掃体取付時に容易に視認できる箇所に銘板１００が設けられているので、使用者は、この銘板１００に明記された内容を見て、回転清掃体２６の取付方向に間違いが無いことを確認してから、回転清掃体２６を吸込室２５内にセットする。最後に、固定部材７０を取付けて回転清掃体２６を吸込室２５内に固定する。
【００２９】
このように回転清掃体を確実に適正な方向に取付けることができる。しかも表示部は吸込室の内面に設けられているので、被掃除面と直接対向しないため、掃除中に被掃除面と接触するなどして表示部が削れたり、剥がれたりすることがない。しかも、回転清掃体を取外した状態では表示部を確実に見ることができる。
【００３０】
次に、銘板１００を上側ケース３０Ａに取付ける別の方法を説明する。この方法では、図１０に示すように、上側ケース３０Ａの内面上に銘板１００が固定され、さらに上側ケース３０Ａの内面には、銘板１００の上流側（吸込風Ｂに沿って上流側）近傍に、吸込室内面側に突出した突条（リブ）１０２が設けられている。この突条１０２は上側ケース３０Ａと一体成型されている。この場合、突条１０２は銘板取付部の上流側にあり、段部を構成している。このように構成した場合も、吸込風Ｂが銘板１００の貼付面の端面に直接当たるのを回避できるので、吸込風Ｂが銘板１００を剥がす方向に作用することを防止することができる。なお、突条１０２は銘板１００の上流側だけでなく、銘板１００の両側端部近傍に設けることもできる。
【００３１】
なお、銘板１００の代わりに、回転清掃体２６の取付方向を示す内容の記号、絵、文言等を上側ケース３０Ａの内面に直接刻印しても良い。また、回転清掃体２６の取付方向を示す内容の記号、絵、文言等が明記されたシール部材を上側ケース３０Ａの内面に貼り付けることもできる。シール部材の場合は剥がれてしまう恐れはあるが、取付方法は非常に簡単である。
【００３２】
【発明の効果】
以上説明したように、請求項１の発明によれば、回転清掃体の取付方向を表示した表示部が吸込室内面に設けられているので、回転清掃体を吸込口体に取付ける際に、表示部の内容を確認しながら取付作業が行われ、これにより、回転清掃体を正しい向きに取付けることができる。
【００３３】
また、銘板が吸込風によって剥がされるのを防止することができる。
【００３４】
請求項２の発明によれば、請求項１の効果を得ることのできる電気掃除機を実現することができる。
【図面の簡単な説明】
【図１】本発明に係る電気掃除機の実施の形態を示した斜視図である。
【図２】本発明に係る吸込口体を示した平面図である。
【図３】図２に示す吸込口体の正面図である。
【図４】図２の吸込口体の底面図である。
【図５】図２の吸込口体の斜視図である。
【図６】図２の吸込口体の内部構成を示した部分断面図である。
【図７】上側ケースを内側から見た図である。
【図８】回転清掃体を取外した場合の吸込口体の底面図である。
【図９】回転清掃体を吸込室に着脱する様子を示した斜視図である。
【図１０】銘板取付方法の他の例を示した図である。
【符号の説明】
１０  電気掃除機本体
２０  吸込口体
２１  吸込口本体
２２  接続管
２３  吸込開口
２５  吸込室
２６  回転清掃体
２６Ａ  ブレード
２６Ｂ  ブラシ
３０  本体ケース
３０Ａ  上側ケース
３１  吸気孔
１００  銘板
１０１  凹部
１０２  突条
【図１】
0003784296.tif 000002
【図２】
0003784296.tif 000003
【図３】
0003784296.tif 000004
【図４】
0003784296.tif 000005
【図５】
0003784296.tif 000006
【図６】
0003784296.tif 000007
【図７】
0003784296.tif 000008
【図８】
0003784296.tif 000009
【図９】
0003784296.tif 000010
【図１０】
0003784296.tif 000011